(57)【要約】  スマートカードを受けるための開口部分を有する電池式デバイスであって、開口部分の内側に、電源からの電力を受けるために使用されることができる少なくとも１つの電気的接点がある。また、１つまたは複数の電池式デバイスのための電源が提供され、電源は、１つまたは複数のパドルを有し、パドルの各々は、電池式デバイスのスマートカード開口部分に入り、電源入力から、開口部分の内側に置かれる電気的接点（複数可）に電力を供給するよう構成される。
2019537921.tif 000002
【特許請求の範囲】
【請求項１】
電池式デバイスであって、
前記デバイスに電力を供給する電源入力と、
スマートカードを受けるための開口部分を有するハウジングと、
前記ハウジング内の少なくとも１つの電気的接点とを備え、前記少なくとも１つの電気的接点は、前記電源入力に接続される、電池式デバイス。
【請求項２】
前記少なくとも１つの電気的接点は、前記ハウジングの前記開口部分へと導入されるスマートカードの表面上の少なくとも１つの導電パッドに電気的に接続されるようさらに構成される、請求項１に記載の電池式デバイス。
【請求項３】
前記少なくとも１つの電気的接点は、前記ハウジングの前記開口部分内に導入されるスマートカードの表面上の非導電性領域と接触するようさらに構成される、請求項１に記載の電池式デバイス。
【請求項４】
前記少なくとも１つの電気的接点は、前記ハウジングの前記開口部分へと導入されるパドルに電気的に接続されるようさらに構成され、前記パドルは、電力を前記少なくとも１つの電気的接点に提供するように配置される、上述の請求項に記載の電池式デバイス。
【請求項５】
前記ハウジング内の前記開口部分は、支払カードであるスマートカードを受けるように構成される、上述の請求項に記載の電池式デバイス。
【請求項６】
前記スマートカードは、ＩＳＯ／ＩＥＣ７８１６に準拠する、上述の請求項に記載の電池式デバイス。
【請求項７】
前記少なくとも１つの電気的接点から分離されておりそれと反対の導電性プレートをさらに備え、前記導電性プレートは、前記電池式デバイスの電気的接地に接続される、上述の請求項に記載の電池式デバイス。
【請求項８】
前記デバイスは、ポータブル支払端末である、上述の請求項に記載の電池式デバイス。
【請求項９】
前記少なくとも１つの電気的接点から受けとられた電力を第２のデバイスに供給するよう構成されるインタフェースをさらに備える、上述の請求項に記載の電池式デバイス。
【請求項１０】
前記第２のデバイスに供給される前記電力を制御するよう構成される回路をさらに備える、請求項９に記載の電池式デバイス。
【請求項１１】
前記制御は、前記電池式デバイス内の電池を充電するように前記第２のデバイスに供給される前記電力を制限することと、前記第２のデバイスに電力を提供し、および／または前記第２のデバイスに電力が到達することを阻止するように前記電池式デバイス内の前記電池を充電するための前記電力を制限することを含む、請求項１０に記載の電池式デバイス。
【請求項１２】
前記第２のデバイスを取り付けるためのコネクタをさらに備える、請求項９〜請求項１１のいずれか１項に記載の電池式デバイス。
【請求項１３】
前記電池式デバイスを前記第２のデバイスに接合するためのケースをさらに備える、請求項９〜請求項１２のいずれか１項に記載の電池式デバイス。
【請求項１４】
前記インタフェースは、ＵＳＢインタフェースである、請求項９〜請求項１３のいずれか１項に記載の電池式デバイス。
【請求項１５】
前記電源入力と電気的に接触する電池をさらに備える、上述の請求項に記載の電池式デバイス。
【請求項１６】
前記少なくとも１つの電気的接点は、ばね付き接点である、上述の請求項に記載の電池式デバイス。
【請求項１７】
前記開口部分は、エッジワイズ式に入れられたＩＤ−１タイプカードを受け入れるよう構成される、上述の請求項に記載の電池式デバイス。
【請求項１８】
前記電源入力に接続される電池充電回路をさらに備える、上述の請求項に記載の電池式デバイス。
【請求項１９】
前記ハウジング内の前記少なくとも１つの電気的接点は、前記ハウジングの前記開口部分内に導入されるスマートカードと接触するよう構成される、上述の請求項に記載の電池式デバイス。
【請求項２０】
前記電気的接点と前記スマートカードとの間の前記接点は、電気的接続である、請求項１９に記載の電池式デバイス。
【請求項２１】
各々がハウジング内に少なくとも１つの電気的接点を有する１つまたは複数の電池式デバイスのための電源であって、前記電気的接点は、前記ハウジング内の開口部分へと導入されるスマートカードと接触するよう構成され、前記電源は、
電源入力（たとえば配線または回路）と、
前記電源入力に接続される電気的出力と、
各々が前記電気的出力に接続される少なくとも１つの電極を有する１つまたは複数のパドルとを備え、各パドルは、スマートカードを受けるための電池式デバイスの開口部分に入るよう構成され、前記電池式デバイスに電力を提供するために、前記少なくとも１つの電極は、前記電源入力から前記少なくとも１つの電気的接点に電力を提供するよう構成される。
【請求項２２】
前記電源入力を前記電気的出力に接続する電池充電回路、電流および／または電圧調整回路をさらに備える、請求項１９に記載の電源。
【請求項２３】
前記パドルは、非導電性パドルである、請求項２１または請求項２２に記載の電源。
【請求項２４】
前記パドルは、プラスチック材料から形成される、請求項２３に記載の電源。
【請求項２５】
前記パドルは、ＩＤ−１タイプカードの幅を有する、請求項２１〜請求項２４のいずれか１項に記載の電源。
【請求項２６】
前記少なくとも１つの電極は、ＩＤ−１タイプカード上のスマートカードの少なくとも１つの導電パッドの場所に対応する位置において前記パドル上に置かれる、請求項２５に記載の電源。
【請求項２７】
前記ＩＤ−１タイプカードは、ＩＳＯ／ＩＥＣ７８１６支払カードまたは同等のカードである、請求項２６に記載の電源。
【請求項２８】
複数の前記パドルは、互いに間隔をあけて平行に配置される、請求項２１〜請求項２７のいずれか１項に記載の電源。
【請求項２９】
前記パドルは、各プレート上に配置されるべき複数の電池式デバイスを収容するために間隔を開けて配置されるとともに、パドルは、各ハウジングの前記開口部分へと挿入され、同時に充電される、請求項２８に記載の電源。
【請求項３０】
前記１つまたは複数のパドルおよび電極は、プリント基板から形成される、請求項２１〜請求項２９のいずれか１項に記載の電源。
【請求項３１】
前記１つまたは複数のパドルは、両面上に置かれる２つの電極を有する、請求項２１〜請求項３０のいずれか１項に記載の電源。
【請求項３２】
前記出力は、一方の電極で５Ｖを提供し、他方の電極で接地されるよう構成される、請求項３１に記載の電源。
【請求項３３】
前記接地された電極は、前記電池式デバイス内の前記複数の電気的接点から分離されその反対にある導電性プレートと電気的に接触するよう構成される、請求項３２に記載の電源。
【請求項３４】
前記電源入力に供給された電力を調整するために配置された調整回路をさらに備える、請求項２１〜請求項３３のいずれか１項に記載の電源。
【請求項３５】
前記調整回路は、前記電源入力から切断可能である、請求項３４に記載の電源。
【請求項３６】
前記調整回路は、スイッチモード回路、ＡＣ−ＤＣコンバータ、および／または変圧器を含む、請求項３４または請求項３５に記載の電源。
【発明の詳細な説明】
【技術分野】
【０００１】
発明の技術分野
本発明は、電池式デバイスおよび給電端末またはドックに関し、および特に、ポータブル支払端末および充電システムに関する。
【背景技術】
【０００２】
発明の背景
モバイルＰＯＳ端末は、周期的に充電を要する電池を有する。これらのデバイスはそのため、電力（典型的に５Ｖ）を受けとる方法を要する。これは、ケーブル、例えばＵＳＢケーブル等を用いて、または充電ドックを用いてなされることができる。ＵＳＢケーブルの使用は、時折の使用の場合には適当であり得るが、比較的大規模の小売店の場合は、充電ドックがより信頼性があり、便利である。端末は、使用されないときにドック上に格納され得、迅速且つ簡単に追加および除去され得、ＵＳＢポートを使用するよりも急速に充電され得る。
【０００３】
（増加された電流を用いる）高速充電ドックの使用は、端末上のおよびドック上の接続ポイントを要する。これは、ばね付き接点のいくつかの形態を有する少なくとも端末またはドックを要し得る。これは、端末およびドックの両方にコストを追加し、両方の部分の機械的な設計をより複雑で難しくし、端末の見た目を損ない得る。モバイル端末の大きさはまた、重要であり得、変化する接点の追加は、端末の大きさを増加し得る。
【０００４】
充電接点は、汚れまたは損傷されることになり得、これは、端末の故障または充電処理の失敗をもたらし得る。
【０００５】
大規模ビジネスが遭遇し得る別の問題は、いくつかの端末を同時に充電する必要があることである。これは、接点のいくつかの組を有するドックを要し得、これはドックの大きさを増加させ、小売環境で場所を取る（たとえば支払デスク上または後ろ）。
【０００６】
したがって、これらの問題を克服するデバイスおよびシステムが必要とされる。
【発明の概要】
【課題を解決するための手段】
【０００７】
発明の概要
デバイス、ポータブルデバイス、または電池式デバイスは、スマートカードと電子的に相互作用する能力をデバイスに提供する電気的接点を含むインタフェースを備える。スマートカードは、プラスチック材料から形成される支持体内に埋め込まれ得る集積回路またはチップおよび接点から形成され得る。特定の実装では、スマートカードは、「チップ」取引を実現する支払カード、たとえばクレジットまたはデビットカード等である。デバイスは、スマートカードを挿入するためのスロット、アパーチャまたは開口部を有し、デバイス内の電子接点は、スマートカードが挿入されたときにその表面上の電極またはパッドに接する。
【０００８】
典型的に、電子接点は、スマートカードのみと接触する。電子接点はそのため、損傷または汚れがそれらと干渉しないように保護されまたは隠される。デバイスが電力を要するとき（たとえば電池を充電するため、または電子プロセスを実行するために電力を提供するため、またはその他の接続されるデバイスに電力を提供するため）は、１つまたは複数の電気的接点はまた、電力を受けとり得、そしてこれは、電池を充電するためにおよび／またはその他の機能のための電力を提供するために、使用され得る。
【０００９】
１つの実装では、特定の電気的接点または複数の接点は、冗長であり得る（または特定の目的のためのみに使用される）スマートカード上の電極と接触する。しかし、スマートカードリーダは、すべてのスマートカード電極のための電気的接点を提供することを要し得る。さらに他の選択肢は、１つまたは複数の接点に対して同じ電圧（たとえば正のまたは負の電圧）を電力供給することである。デバイスの別の部分（たとえばプレートまたはシャシー）は、反対の電圧（たとえば０Ｖまたは接地）を受け得る。ＤＣまたはＡＣ電流が使用され得る。
【００１０】
デバイスが支払端末であるときは、支払カードを受けるものと同じアパーチャまたはスロットはまた、スマートカードまたはその他集積回路とインタフェースするために使用されるものと同じ接点を通して、または支払カードを受けるために使用されるものと同じ空間内の汎用または別の電力接点を通して（すなわち支払カードまたはスマートカード上のパッドと接触しないもの）、電力を提供するために使用され得る。
【００１１】
対応する給電、充電端末またはドックは、（再びスマートカードを受けるために使用されるものと同じアパーチャを通して）デバイスへと挿入される１つまたは複数の平坦な突出部、プレート、またはパドルを提供する。平坦な突出部は、それらの少なくとも部分においてスマートカードの形状および大きさを有し得、その給電電極は、支払カード上の１つのまたは複数のスマートカード接点パッド（または少なくとも１つまたは複数の電極）によって取られ得る位置に置かれる。代替的に、平坦な突出部分は、異なる形状を有するが依然としてアパーチャ内に嵌る。平坦な突出部分はそして、デバイスへと挿入されたときに支払カードまたはスマートカードの位置を取り、給電電極または複数の給電電極は、スマートカードの表面上の接点の位置を取る。電力は、そして給電電極を通してデバイス内の電気的接点または接点へとデバイスに供給される。これは、別個の充電インタフェース、ばね付き接点またはデバイス内のその他のアパーチャを有する必要性を除去する。これは、高速または高電流充電のために特に重要であり得る。デバイス内のスマートカードインタフェースは、何千または何十万回もの挿入のために設計される。したがって、デバイスは、より堅牢な充電インタフェース、そして汎用充電ポートを有し得る。代替的に、給電電極は、別の場所に対応する（すなわちスマートカードの接点と対応しない）位置に置かれ得る。この場合、電力を受ける専用のさらなる接点ポイントは、デバイス内に置かれ得、スマートカードのパッドと通常整列する電子接点は、電力を受けるために使用されない。
【００１２】
平坦な突出部分またはパドルはまた、挿入されたときにデバイスを支持し得る。したがって、（１つのまたは両側上の）給電電極を有する平坦な突出部分のアレイは、複数のデバイスを充電するために便利な方法を提供し得る。これはまた、いくつかのデバイスを充電するために必要な空間を減らし、これらは今非常に近くに一緒に置かれ得る。
【００１３】
第１の局面に従い電池式デバイスが提供され、電池式デバイスは、
デバイスに電力を供給する電源入力と、
スマートカードを受けるための開口部分を有するハウジングと、
ハウジング内の少なくとも１つの電気的接点とを備え、少なくとも１つの電気的接点は、電源入力に接続される。したがって、電力は、さらに他のアパーチャまたはポートを要することなく供給され得、電力接続は、より清潔に安全に維持され得る。電源入力は、ハウジング内に存在し得る。電源入力はまた、調整され得る。
【００１４】
任意に、ハウジング内の開口部分は、スマートカードを有する支払カードを受けるよう構成され得る。開口部分は、たとえば５３．９８ｍｍ〜５５ｍｍまたは５６ｍｍ幅および０．７６ｍｍ厚（＋／−０．１〜０．３ｍｍ）のカードを受け入れ得る。１つの例では、開口部分は５５〜７０ｍｍ幅および２〜６ｍｍ厚であり得る。開口部分は、文字（たとえば支払カード上のカード番号、名前および有効期限）がエンボス加工された支払カード上の領域に対応する（たとえば追加の２１−２５ｍｍ幅部分、０．５〜１ｍｍまたは０．５ｍｍ〜２ｍｍの追加の厚さを有する）広げられた部分を含み得る。スマートカードアパーチャは、デバイスに電力を供給するために使用される。したがって、ＩＳＯ７８１６カードを取り込み、対話できる任意のアパーチャは、大きさまたは形状に関わらず使用され得る。
【００１５】
任意に、少なくとも１つの電気的接点は、ハウジングの開口部分内に導入されるスマートカードの表面上の少なくとも１つの導電パッドに電気的に接続されるようさらに構成され得る。したがって、デバイスの電気的接点は、（使用されるかまたは冗長であるかのいずれかの）スマートカードパッドに接続することと、電源電極に接続するという二重の使用を有し得る。
【００１６】
有利には、少なくとも１つの電気的接点は、ハウジングの開口部分内に導入されるスマートカードの表面上の非導電性領域と接触する（または通過する）ようさらに構成され得る。換言すると、この特定の実装例では、スマートカードが開口部分へと挿入されると、デバイス内の電気的接点（複数可）は、挿入手順中におよびそれが完全に挿入されたときの両方においてスマートカードの絶縁した部分のみと接触する（または通過する）。充電パドルが挿入されるときに、それ自体の電源電極はそして、同様にスマートカード上のパッドと電気的に接触することが意図されるデバイス内の接点を外し得る。
【００１７】
任意に、少なくとも１つの電気的接点は、ハウジングの開口部分へと導入されるパドルに電気的に接続されるようさらに構成され得、パドルは、少なくとも１つの電気的接点に電力を提供するように配置される。
【００１８】
任意に、スマートカードはＩＳＯ／ＩＥＣ７８１６または同等の支払カードであり得る。
【００１９】
任意に、電池式デバイスは、少なくとも１つの電気的接点から分離され反対にある導電性プレートをさらに備え得、導電性プレートは、電池式デバイスの電気的接地（または電力線）に接続される。デバイス内のその他の金属または導電性部分はまた、電力または接地接点として使用され得る。
【００２０】
任意に、電池式デバイスは、ポータブル支払端末であり得る。
任意に、電池式デバイスは、少なくとも１つの電気的接点から受けられた電力を第２のデバイスに供給するよう構成されるインタフェースをさらに備えてもよい。１つの例では、第２のデバイスは、デバイスが充電しているときに電力を受け得、デバイスが充電していないときにおよび／またはデバイスの主要な電池が低いまたは消費されているときにデバイスに電力を供給し得る、追加のまたは第２の電池であり得る。
【００２１】
任意に、電池式デバイスは、第２のデバイスに供給される電力を制御または管理するよう構成される回路をさらに備えてもよい。
【００２２】
任意に、制御は、電池式デバイス内の電池を充電するように第２のデバイスに供給される電力を制限することと、第２のデバイスに電力を提供するようにおよび／または電力が第２のデバイスに到達することを阻止するように電池式デバイス内の電池を充電するために電力を制限することを含み得る。
【００２３】
任意に、電池式デバイスは、第２のデバイスを取り付けるためのコネクタをさらに備えてもよい。
【００２４】
任意に、電池式デバイスは、電池式デバイスを第２のデバイスに接合するためのケースをさらに備えてもよい。
【００２５】
任意に、インタフェースは、ＵＳＢインタフェースであり得る。
任意に、電池式デバイスは、電源入力に電気的に接触する電池をさらに備えてもよい。電池は、再充電可能（たとえばリチウムイオン等）であり得る。
【００２６】
任意に、少なくとも１つの電気的接点は、銅、ニッケルおよび／または金めっきされたばね付き接点であり得る。
【００２７】
任意に、開口部分は、エッジワイズ式に入れられたＩＳＯ７８１０ＩＤ−１タイプカードを受け入れるよう構成され得る。開口部分は、カードまたはパドルをより簡単に受け入れるためにフレアを付けられまたは広げられ（そしてカードを導くために狭められ）得る。
【００２８】
任意に、電池式デバイスは、電源入力に接続される電池充電回路をさらに備えてもよい。
【００２９】
好ましくは、ハウジング内の少なくとも１つの電気的接点は、ハウジングの開口部分内に導入されるスマートカードと接触するよう構成され得る。
【００３０】
任意に、電気的接点とスマートカードとの間の接点は、電気的接続であり得る。電気的接点は、スマートカード上の対応する接点パッドと電気的に接続し得またはスマートカードと電気的に接触しなくてもよい（物理接点のみ）。
【００３１】
第２の局面に従い、各々がハウジング内に少なくとも１つの電気的接点を有する１つまたは複数の電池式デバイスのための、電源、ドック、充電ドックまたは充電端末が提供され、電気的接点は、ハウジング内の開口部分へと導入されるスマートカードと接触するよう構成され、電源は、
電源入力（たとえば配線または回路）と、
電源入力に接続される電気的出力と、
各々が電気的出力に接続される少なくとも１つの電極を有する１つまたは複数のパドルとを備え、各パドルは、スマートカードを受けるための電池式デバイスの開口部分に入るよう構成され、電池式デバイスに電力を提供するために、少なくとも１つの電極は、電源入力から少なくとも１つの電気的接点に電力を提供するよう構成される。これ（およびその変形）は、前述の任意の１つまたは複数の電池式デバイスとともに使用され、それらと組み合わされることができる。
【００３２】
任意に、電源は、電源入力を電気的出力に接続する電池充電回路、電流および／または電圧調整回路をさらに備え得る。
【００３３】
任意に、プレートは、非導電性パドルであり得る。
任意に、パドルは、プラスチック材料から形成され得る。金属、合金、セラミック等のその他の材料が、使用され得る。
【００３４】
任意に、パドルは、ＩＳＯ７８１０ＩＤ−１タイプカードの幅および／または厚さを有し得る。その長さは、ＩＤ−１タイプカードよりも短くあり得る（または任意のその他の長さであり得）、少なくとも１つの電極は、ＩＤ−１タイプカード上のスマートカードの場所に対応する位置において（または別の場所において）パドル上に置かれ得る。
【００３５】
任意に、ＩＤ−１タイプカードは、ＩＳＯ／ＩＥＣ７８１６、支払カードまたはＩＤカードまたは同等のカードであり得る。
【００３６】
任意に、複数の同様のパドルは、互いに間隔を開けて平行に配置され得る。たとえば、これは線、グリッドとしてまたは線形に連続であり得る。
【００３７】
任意に、パドルは、各パドル上に配置されるべき複数の電池式デバイスを収容するために間隔を開け得るとともに、パドルは、各ハウジングの開口部分へと挿入され、同時に充電される。
【００３８】
任意に、１つまたは複数のパドルおよび電極は、プリント基板から形成され得る。
任意に、１つまたは複数のパドルは、両面上に置かれる２つの電極を有し得る。両方の電極は、その他の例では同じ側上であり得る。
【００３９】
任意に、出力は、一方の電極で５Ｖを提供し、他方の電極は接地するよう構成され得る。
【００４０】
任意に、接地された電極は、電池式デバイス内の複数の電気的接点から分離されその反対にある導電性パドルと電気的に接触するよう構成され得る。
【００４１】
好ましくは、電源は、電源入力に供給された電力を調整するために配置された調整回路をさらに備え得る。
【００４２】
任意に、調整回路は、電源入力から切断可能であり得る。これは、電気的プラグおよびソケット等であり得る。
【００４３】
上記の任意の特徴は、本発明の任意の特定の局面または実施形態と共に使用され得ることに留意されたい。
【００４４】
図面の簡単な説明
本発明は、いくつかの方法で実施することができ、実施形態は、一例のみとして、添付の図面を参照して説明される。
【図面の簡単な説明】
【００４５】
【図１Ａ】典型的なスマートカード接点の概略図面を示す。
【図１Ｂ】図１Ａのスマートカード接点を支持する支払カードの概略図面を示す。
【図２】電池式デバイスおよび充電システムの部分の図を示す。
【図３】図２に示される充電システムの部分を示す。
【図４Ａ】図２の電池式デバイスの部分へと充電システムの一部の挿入を描写する一連の画像を示す。
【図４Ｂ】図２の電池式デバイスの部分へと充電システムの一部の挿入を描写する一連の画像を示す。
【図４Ｃ】図２の電池式デバイスの部分へと充電システムの一部の挿入を描写する一連の画像を示す。
【図４Ｄ】図２の電池式デバイスの部分へと充電システムの一部の挿入を描写する一連の画像を示す。
【図５】電池式デバイスの縁部分および図２の充電システムの概略断面図を示す。
【図６】コネクタでつながれた２つのデバイスを含むさらに他の電池式デバイス構成を有する図５の充電システムの概略断面図を示す。
【図７】図６のコネクタの拡張された断面図を示す。
【図８】電池式デバイス内に見られる電気的接点を含む図２の充電システムの部分の概略図面を示す。
【発明を実施するための形態】
【００４６】
図は簡単にするために示されており、必ずしも一定の縮尺で描かれていないことに留意されたい。同様の特徴には同じ参照番号が与えられている。
【００４７】
好ましい実施形態の詳細な説明
販売（ＰＯＳ）端末は、スマートカードコネクタを有し、これは、ばね付き接点を含む。これは、取引中に顧客のスマートカードに給電しこれと通信するために使用される。いくつかのスマートカードコネクタはまた、接点に対してカードの反対側上の金属プレートまたはシャシーを含む。８つの接点のうちの３つ（Ｃ４、Ｃ６およびＣ８）は、支払カードまたはＰＯＳ端末によって使用されないかめったに使用されず、このため電力を受けるために使用され得る。金属プレートはまた、存在する場合、同様に使用され得る。
【００４８】
例示的実装が示され、端末をドッキングすることは、スマートカード接点Ｃ４およびＣ８を５Ｖに接続し、コネクタ内の金属プレートを０Ｖ（ＧＮＤ）に接続する。充電電流はそのため、電源から、Ｃ４およびＣ８へと、端末（およびその電池）へと流れ、金属プレートを介して電源にへと戻る。充電ステーションまたはドックは、１つのまたは複数の充電「パドル」またはプレートを有し得、一方の側上で５Ｖ、もう一方の上で０Ｖが表面電極によって提供される。各端末は、パドル上に置かれ得る。この構成は、数多くの端末が小さなフットプリントにおいて並んで配置されることを可能とし、ドックをカウンタまたは壁に取り付けることを必要としない。
【００４９】
パドルは、さまざまな材料で作られ得るが、１つの例は、標準的な両面プリント基板である。
【００５０】
図は、この例示的実装をより詳細に示すが、特徴のその他の代替的な構成または組み合わせ（すなわち選択され任意の例と組み合わせられたもの）が使用され得る。
【００５１】
図１Ａは、一連の接点パッドまたは電極２０の概略図面を示す。これらの接点パッド２０は、リーダへと挿入されたときにスマートカードとたとえばＰＯＳ端末等のホストとの間の通信インタフェースを提供するために電気的接続性を提供する。そのようなスマートカードは、ＩＳＯ／ＩＥＣ７８１６−２：２００７といった国際規格に準拠し得、これは、（たとえば支払いまたはＩＤカード等）ＩＤ−１カードタイプと使用され得る集積回路カード上の接点の寸法および場所を規定する。図１Ａは、接点パッド２０の例示的ピン配置およびそれらの使用または割当を示す。
【００５２】
少なくとも接点Ｃ４およびＣ８は、この例では使用されないか割り当てられないことに留意されたい。
【００５３】
図１Ｂは、図１Ａを参照して説明されるスマートカード接点パッド２０を有する支払カード３０の概略図面を示す。再び、支払カード３０内のスマートカード１０の場所および配向は、国際規格（たとえばＩＳＯ／ＩＥＣ７８１６−１〜１５）に準拠し得る。
【００５４】
したがって、支払端末、ＡＴＭマシンおよびその他のデバイスといったスマートカードリーダは、スマートカード１０の接点パッド２０とインタフェースするための対応する接点を有し得る。取引において使用するためにすべての接点パッドまたは電極２０が必須とされるわけではないが、端末および端末内のインタフェースは、潜在的な将来の目的のためのこれらのパッドと個々の接点を作る能力を維持することが多い。
【００５５】
図２は、画面１２０、キーパッド１３０およびスマートカード１０を有する支払カード３０を受けるのためのスロットまたはアパーチャ１４０を含む例示的カードリーダ、端末またはデバイス１００を示す。この図面では、給電または充電端末またはドックの部分は、支払カード３０が通常挿入されるであろうスロット１４０に嵌まり込む。この充電ドックの部分は、プレートまたはパドル１１０の形態をとり、これは、支払カード３０（たとえばクレジットカードまたはデビットカード）の厚さおよび幅を有する。パドル１１０は、支払端末１００へと挿入されたときに、スロットまたはアパーチャ１４０をテーブル、カウンタ、引き出しまたは地面に向けて下向きにして支払端末１００を直立位置または実質的直列位置に支持し得る。この例は、支払端末１００を使用するが、同じ原理は、たとえば電池式または非電池式デバイスまたはポータブルデバイスといった電力を要する任意のデバイスを用いて使用され得る。１つの例示的実装では、デバイス１００は、スマートカードとインタフェースするためのリーダモジュールを含む。
【００５６】
図３は、パドル１１０をより詳細に示し、パドル１１０の正面上の単一の電極２００を含む。さらに他の電極はまた、パドル１１０の反対のまたは背面上に形成されるが、これは、この図において示されない。電極または複数の電極２００は、パドル１１０上に置かれ、これによりデバイス１００がパドル１１０をそのアパーチャ、開口部分またはスロット１４０を通して受けるときに、電極２００は、そうでなければスマートカード１０の接点パッド２０のうちの１つまたは複数と接触するデバイス１００内の１つまたは複数の電気的接点と接触する。この実装例に示されるように、電極２００は、スマートカード１０の接点または接点パッドにＤＣ電流を供給する。この例では、電圧は、５Ｖであるが、その他の電圧および極性（−ｖｅまたは＋ｖｅ）が使用され得る。
【００５７】
充電ドックのその他の部品は、この特定の図面では示されないが、パドル１１０上の電極２００に電力を提供するための電源、電圧調整、充電回路またはその他の電子部品を含み得る。そのような回路（この図面では示さない）はまた、たとえばデバイス１００の存在を検出し得、応答して電極２００に給電を開始し得る。充電ドックは、電力を調整し得または充電回路を含み得るが、そのような調整は、代替的または追加的にデバイス内で行われ得る。１つの実装例では、電圧調整は、塊状のリード線またはその他の外部構成要素によって提供され得る。
【００５８】
図４Ａ〜図４Ｄは、パドル１１０がデバイス１００のリーダモジュール３００（これらの図において示さない）へと挿入する方法を描画する一連の画像を示す。図４Ａおよび図４Ｂに見られるように、リーダモジュール３００は、リーダモジュール３００上に置かれる（この場合、ばね付き電気的接点である）一連の電気的接点３１０を含み、これにより支払カード３０が挿入されるときに、各電気的接点３１０は、スマートカード１０上の接点パッド２０のうちの１つと接触する。この例では、８つの接点パッド２０およびリーダモジュール３００内の８つの電気的接点３１０が存在する。
【００５９】
図４Ａに示されるように、パドル１１０は、リーダモジュール３００へと挿入されないが、これは、電極２００がスマートカード１０の２つの接点パッド２０と対応する電気的接点のうちの２つと接触することを描画する（パドル１１０は、右から左へとこの一連の図面で示されるリーダモジュール３００へと導入され得る）。１つまたは複数の電気的接点は、デバイス１１０の電源入力に接続され得る。電源入力は、デバイス１００に電力を提供し、これは、（この図面では示さない）電池を充電することを含む任意の目的のために使用され得る。
【００６０】
図４Ｂは、リーダモジュール３００へと部分的に挿入されるパドル１１０を示し、これは今、電極２００を覆う。
【００６１】
図４Ｃは、リーダモジュール３００およびパドル１１０の両方の逆側を示す。このパドル１１０の逆側上に、さらに他の電極３３０が存在し、これは接地または０Ｖ供給を提供する。リーダモジュール３００の逆または反対の側上に、金属プレート３２０が見られ、これは、リーダモジュール３００のシャシーまたは囲いの部分を形成する。図４Ｄは、リーダモジュール３００へと部分的に挿入されるパドル１１０を示す。この逆または背面図から見られるように、接地電極３３０は、金属プレート３２０と接触する。したがって、５Ｖまたは正の供給は、リーダモジュールの１つまたは複数の電気的接点に供給され得、充電ドックの接地供給は、電流がデバイスに流入または流出することを可能とするリーダモジュール３００の接地プレートまたは金属プレート３２０（この図面では示さない）に供給され得る。
【００６２】
パドル１１０の電極２００とインタフェースする特定の電気的接点は、デバイス１００内の電源入力に接続され得る。これは、電池または充電回路またはデバイス１００内のその他の制御電子機器に直接提供され得または別々に調整され得る。電源は、スイッチ−モードＡＣ―ＤＣ供給等により給電されるメインであり得る。
【００６３】
図５は、１つまたは複数のパドル１１０および縁部分コネクタまたは電気的出力４４０を通してパドル１１０の表面上の電極（この図面では示さない）に電力を提供する電気的供給または電源入力４３０（部分的に示される）を支持する充電ドック４１０を含む充電または電力システム４００の部分の断面図を示す。縁部分コネクタ４４０はまた、プレート１１０を物理的に支持し、充電ドック４１０の基部に固定される。２つのパドル１１０がこの例では示されるが、任意の数のパドルが含まれ得る。この図面では、単一のパドル１１０は、デバイス１００の開口スロットまたはアパーチャ１４０へと挿入されるパドル１１０を有するデバイス１００を支持する。図５において概略的に見られるように、パドル１１０は、その電極（複数可）２１０、３３０がデバイス１００内の別の接点と電気的に接触するためにデバイスへと必ずしも完全に延在することを有さない。パドル１１０の長さはそれにしたがって形成され得る。いくつかの実装では、パドル１１０の長さは、それがデバイス１１０に完全に入ることができないような長さであり得、またはパドル１１０は、スマートカード（たとえば支払カード）の存在を通常登録する内部接点またはマイクロスイッチ（この図面では示さない）にあたるほど十分遠くに入ることを阻止され得る。パドル１１０がそのようなスイッチまたはその他の検出器に当たらないために、デバイス１００（たとえば支払端末）がドック４１０から給電または充電されるときにそれがスマートカードを読み込まないことを予期される（たとえば支払を処理する）ので、これは、有利である。
【００６４】
たとえば、デバイス１００のスロットまたは開口部分へと挿入され得るパドル１１０の長さは、２５ｍｍ（または５ｍｍ〜１００ｍｍのいずれか）であり得る。パドルはまた、丸められた角を有し得る。そのような角（たとえば２つの角）の半径は、挿入を容易にするために、２．８８ｍｍ以上（例えば、最大１０ｍｍ以上）であり得る。挿入を容易にし得るその他の形状（例えばテーパを付けられた縁）が使用され得る。
【００６５】
デバイス１００に取り付けられたその他のデバイスを充電することも可能である。電力は、デバイス１００へと流入することができ、デバイス１００はそして、（タブレットまたは電話といった）取り付けられたデバイスに電力を供給することができる。
【００６６】
充電ドック内のパドルは、プリント基板（ＰＣＢ）から形成され得るが、好ましくは限定しない一例として電子部品を有さない。ドックは、１つまたは複数のＰＣＢ縁部分コネクタを有するマザーボードを含み得る。各変化パドルＰＣＢはそして、マザーボードコネクタ（複数可）に差し込まれ得る。これは、ユーザー交換、顧客ブランディング（シルクスクリーン画像）、色の変更（ソルダーレジスト）、および必要に応じて拡張バージョンへの交換（電話または第２のデバイスの追加など）を可能にする。
【００６７】
図６は、同様の充電ドック４１０の代替的構成５００を示すが、ハウジング、支持、給電および／または充電デバイス１００’が、この場合、ｉＰｈｏｎｅ（登録商標）といった携帯電話である第２のデバイス５１０と組み合わせられる。デバイス１００’は、たとえばＵＳＢインタフェースであり得る電源出力インタフェース５４０を含む。携帯電話５１０はまた、ＵＳＢインタフェース、ｉＰｈｏｎｅ（登録商標）の場合はライトニングポートを含み得る。コネクタ５３０は、２つのデバイス間の電気的接続を提供する突出部分５２０および突出部分５６０を使用して２つのＵＳＢインタフェースをつなぐ。
【００６８】
パドル１１０を固め、デバイス１００をドック４１０の基部上方に支持するための支持部分またはスペーサ４２０が図６に示されている。これはまた、第２のデバイス５１０の余分な長さがドック４１０の基部または表面と干渉する（すなわち電力が供給されることができるようにパドル１１０が挿入されるまたは十分に挿入されることを阻止される）ことなくデバイス１００’よりも第２のデバイス５１０を長くすることを可能とする。しかし、そのような追加の支持部分４２０は、比較的短いパドル１１０に対してまたはデバイスそれ自体がそのような支持部を含む（または第２のデバイスが存在しない）場合に必須ではない。支持部分４２０は、取り外し可能であり得る。
【００６９】
電力は、デバイス１００、デバイス１００’に供給され得、それに直接給電し、それに給電しその電池を充電しおよび／または第２のデバイス５１０に電力を提供する。この電力の管理または制御は、たとえばデバイス１００内の回路またはロジックによって取り扱われ得る。そのような管理は、たとえば電力が第２の装置５１０に到達するのを制限または防止することを犠牲にして電池を部分的にまたは全体的に好ましく充電するためのロジックを含み得る。
【００７０】
図７は、このコネクタをさらに詳細に示す。デバイス間の空間６００は、スペーサで充填され得またはケース（この図面では示さない）は、両デバイスを一緒に保持し得る。
【００７１】
図８は、パドル１１０および電極２００がいくつかの接点パッド２０（Ｃ４およびＣ８）と重畳し接触し得るが、その他の接点パッド２０が触れ得ないまたは接触し得ない方法を概略的に示す。
【００７２】
当業者によって理解されるように、上記の実施形態の詳細は、添付の特許請求の範囲によって規定されるように、本発明の範囲から逸脱することなく変更され得る。
【００７３】
たとえば、異なる電圧が供給され得る。プレートは、金属またはラミネート材料から形成され得る。パドルは、取り外し可能であり得る。充電状況がドック上で映され得る。充電端末またはドックが説明されたが、このデバイスは、その他のまたは代替的な目的のために（たとえばドックに置かれた機器に接続されている１つまたは複数のデバイスへの給電など、その他の機能のためにデバイスを動作させるためにまたは電力を提供するために）電力を提供し得る。パドルという用語は、実質的に平らな、平面の、剛性または半剛性の部材を称し得る。それは単一のピアスから形成され得、または強度および頑強性を改善するためにラミネートされ得る。代替的に、デバイス内の受電接点は、デバイスの開口部内に導入されるスマートカードと全く接触し得ない。この場合、開口部は、単純にスマートカードを受けることと電力を受けることの二重の用途を有する。デバイス内のスマートカード接点（複数可）がまたドックから電力を受ける実施形態は、別個の受電接点またその逆の実装例に関して説明された特徴または選択肢のいずれかを使用し得る。上記に提供された例は、スマートカードの少なくとも完全な端部（すなわち、スマートカードの２つの角を囲む）を受ける開口部を有する装置を説明しているが、スマートカードを読み取るまたは受ける他の装置を使用し得る。例えば、スマートカードの１つの角のみ、または縁のたった一部のみを受ける（またはそのような受け取りスロットを有する）デバイスも、説明されたシステムおよびドックと同様の方法で電力を受けることができる。
【００７４】
上記の実施形態の特徴に対する多くの組み合わせ、修正、または変更は、当業者には容易に明らかとなり、本発明の一部を形成することを意図している。１つの実施形態または例に関して具体的に説明した特徴のいずれも、適切な変更を加えることによって他の任意の実施形態で使用することができる。
【図１Ａ】
2019537921.tif 000003
【図１Ｂ】
2019537921.tif 000004
【図２】
2019537921.tif 000005
【図３】
2019537921.tif 000006
【図４Ａ】
2019537921.tif 000007
【図４Ｂ】
2019537921.tif 000008
【図４Ｃ】
2019537921.tif 000009
【図４Ｄ】
2019537921.tif 000010
【図５】
2019537921.tif 000011
【図６】
2019537921.tif 000012
【図７】
2019537921.tif 000013
【図８】
2019537921.tif 000014
【国際調査報告】
2019537921.tif 000015
2019537921.tif 000016
2019537921.tif 000017